(57)【要約】【課題】保護すべき情報を情報処理端末が自動的に保護する技術を提供する。【解決手段】情報処理装置は特徴抽出部と情報抽出部と保護設定部とを有している。特徴抽出部は、保護が設定されている情報である保護情報を解析し、保護すべき情報の特徴である保護特徴を抽出する。情報抽出部は、保存されている情報の中で、特徴抽出部で抽出された保護特徴を備えた情報を抽出する。保護設定部は、情報抽出部で抽出された情報に保護を設定する。【選択図】図１Ａ
2012168875.tif 000002
【特許請求の範囲】
【請求項１】
保護が設定されている情報である保護情報を解析し、保護すべき情報の特徴である保護特徴を抽出する特徴抽出部と、
保存されている情報の中で、前記特徴抽出部で抽出された前記保護特徴を備えた情報を抽出する情報抽出部と、
前記情報抽出部で抽出された情報に保護を設定する保護設定部と、を有する情報処理装置。
【請求項２】
前記特徴抽出部は、前記保護情報に共通するデータを含むことを前記保護特徴として抽出する、請求項１に記載の情報処理装置。
【請求項３】
前記保護情報および前記保存されている情報は電子メールであり、
前記特徴抽出部は、前記保護情報に共通する語を含むことを前記保護特徴として抽出する、請求項１または２に記載の情報処理装置。
【請求項４】
前記保護情報および前記保存されている情報は属性を備えたファイルであり、
前記特徴抽出部は、前記保護情報に共通する属性を前記保護特徴として抽出する、請求項１に記載の情報処理装置。
【請求項５】
情報を保存することが可能な情報処理装置における情報保護方法であって、
保護が設定されている情報である保護情報を解析し、保護すべき情報の特徴である保護特徴を抽出し、
保存されている情報の中で、抽出された前記保護特徴を備えた情報を抽出し、
抽出された前記情報に保護を設定する、情報保護方法。
【請求項６】
前記保護情報に共通するデータを含むことを前記保護特徴として抽出する、請求項５に記載の情報保護方法。
【請求項７】
前記保護情報および前記保存されている情報は電子メールであり、
前記保護情報に共通する語を含むことを前記保護特徴として抽出する、請求項５または６に記載の情報保護方法。
【請求項８】
前記保護情報および前記保存されている情報は属性を備えたファイルであり、
前記保護情報に共通する属性を前記保護特徴として抽出する、請求項５に記載の情報保護方法。
【請求項９】
保護が設定されている情報である保護情報を解析し、保護すべき情報の特徴である保護特徴を抽出する手順と、
保存されている情報の中で、抽出された前記保護特徴を備えた情報を抽出する手順と、
抽出された前記情報に保護を設定する手順と、をコンピュータに実行させるためのプログラム。
【発明の詳細な説明】
【技術分野】
【０００１】
本発明は、情報を保存する機能を備えた情報処理装置に関する。
【背景技術】
【０００２】
携帯電話端末等の情報処理装置には受信したメールや送信したメールを保存しておく機能がある。しかしながら、情報処理装置のメモリ領域は限られている。特に携帯電話端末は、そのメモリ領域は大きなものではない。そのため、携帯電話端末は、受信したメールを順次保存し、所定のメモリ領域に空きが無くなると、古い順にメールを自動消去していく。
【０００３】
しかし、メモリに保存されている受信メールの中には、継続的に保存しておきたいような重要なメールが含まれていることがある。そこで、重要なメールが自動的に消去されるのを防ぐ方法として、ユーザが重要なメールに対して個別に消去を防止する保護を設定し、携帯電話端末は保護が設定された重要なメールを消去しないように保存するという方法がある。しかし、ユーザが保護を設定するのを忘れてしまえば、この保護は機能せず、重要なメールが自動的に消去されてしまうことがあった。
【０００４】
そこで、重要なメールを携帯電話端末が自動的に削除しないように保護するという技術がある（特許文献１、２参照）。
【先行技術文献】
【特許文献】
【０００５】
【特許文献１】特開２００６−２２７８９８号公報
【特許文献１】特開２００２−３２８８７３号公報
【発明の概要】
【発明が解決しようとする課題】
【０００６】
しかしながら、特許文献１、２に記載された技術は、ユーザが設定した条件に一致したメールを優先的に保存するというものである。ユーザが保存しておきたいと考える重要なメールにも様々な態様がある。そのため、ユーザはその様々な態様の重要なメールが保護されるように条件を設定しなければならないという煩わしさがあった。
【０００７】
本発明の目的は、保護すべき情報を情報処理端末が自動的に保護する技術を提供することである。
【課題を解決するための手段】
【０００８】
上記目的を達成するために、本発明の情報処理装置は、
保護が設定されている情報である保護情報を解析し、保護すべき情報の特徴である保護特徴を抽出する特徴抽出部と、
保存されている情報の中で、前記特徴抽出部で抽出された前記保護特徴を備えた情報を抽出する情報抽出部と、
前記情報抽出部で抽出された情報に保護を設定する保護設定部と、を有している。
【０００９】
本発明の情報保護方法は、
情報を保存することが可能な情報処理装置における情報保護方法であって、
保護が設定されている情報である保護情報を解析し、保護すべき情報の特徴である保護特徴を抽出し、
保存されている情報の中で、抽出された前記保護特徴を備えた情報を抽出し、
抽出された前記情報に保護を設定するというものである。
【００１０】
本発明のプログラムは、
保護が設定されている情報である保護情報を解析し、保護すべき情報の特徴である保護特徴を抽出する手順と、
保存されている情報の中で、抽出された前記保護特徴を備えた情報を抽出する手順と、
抽出された前記情報に保護を設定する手順と、をコンピュータに実行させるためのプログラムである。
【発明の効果】
【００１１】
本発明の効果として、保護すべき情報を情報処理端末が自動的に保護することができる。
【図面の簡単な説明】
【００１２】
【図１Ａ】本実施形態の情報処理装置の一構成を示すブロック図である。
【図１Ｂ】本実施形態の情報処理装置の他の構成を示すブロック図である。
【図２】本実施例の携帯電話端末の構成を示すブロック図である。
【図３】メール情報テーブル２１１の一例を示す図である。
【図４】差出人毎メール数記憶部２１３に記憶された情報の一例を示す図である。
【図５】特徴テーブル２１２の一例を示す図である。
【図６】本実施例の携帯電話端末の動作例を示すフローチャートである。
【発明を実施するための形態】
【００１３】
本発明を実施するための形態について図面を参照して詳細に説明する。
【００１４】
図１Ａは、本実施形態の情報処理装置の一構成を示すブロック図である。図１Ａを参照すると、情報処理装置１０は、特徴抽出部１１、情報抽出部１２、および保護設定部１３を有している。
【００１５】
特徴抽出部１１は、情報処理装置１０の内部あるいは外部の記憶装置（不図示）に保存されている情報のうち、保護が設定されている情報である保護情報を解析し、保護すべき情報の特徴である保護特徴を抽出する。
【００１６】
その際、特徴抽出部１１は、保護情報に共通するデータを含むことを保護特徴として抽出することにしてもよい。
【００１７】
情報抽出部１２は、記憶装置に保存されている情報の中で、特徴抽出部１１で抽出された保護特徴を備えた情報を抽出する。
【００１８】
保護設定部１３は、情報抽出部１２で抽出された情報に保護を設定する。
【００１９】
図１Ｂは、本実施形態の情報処理装置の他の構成を示すブロック図である。図１Ｂを参照すると、情報処理装置１０は、特徴抽出部１１、情報抽出部１２、保護設定部１３、およびメモリ１４を有している。
【００２０】
図１Ｂの例では情報処理装置１０の内部のメモリ１４に複数の情報が保存されている。
【００２１】
特徴抽出部１１は、メモリ１４に保存されている情報のうち、保護が設定されている情報である保護情報を解析し、保護すべき情報の特徴である保護特徴を抽出する。
【００２２】
その際、特徴抽出部１１は、保護情報に共通するデータを含むことを保護特徴として抽出することにしてもよい。例えば、メモリ１４に保存されている情報は電子メールである場合、特徴抽出部１１は、電子メールに共通する語を含むことを保護特徴として抽出するとよい。
【００２３】
あるいは、例えば、情報は属性を備えたファイルである場合、特徴抽出部１１は、保護情報に共通する属性を保護特徴として抽出するとよい。画像や音楽のデータに、各種の属性が設定されるので、その中から共通する属性を抽出するとよい。
【００２４】
情報抽出部１２は、メモリ１４に保存されている情報の中で、特徴抽出部１１で抽出された保護特徴を備えた情報を抽出する。
【００２５】
保護設定部１３は、情報抽出部１２で抽出された情報に保護を設定する。
【００２６】
本実施形態では、保護すべき情報を情報処理端末が自動的に保護することができる。
【００２７】
以下、より具体的な実施例について説明する。ここでは携帯電話端末を例示する。
【００２８】
図２は、本実施例の携帯電話端末の構成を示すブロック図である。図２を参照すると、携帯電話端末は、主記憶部２１０、制御部２２０、入力部２３０、および表示部２４０を有している。
【００２９】
主記憶部２１０は、メール情報テーブル２１１、特徴テーブル２１２、および差出人毎メール数記憶部２１３を有している。一例として主記憶部２１０は記憶装置であり、その記憶装置に、メール情報テーブル２１１、特徴テーブル２１２、および差出人毎メール数記憶部２１３の領域がある。
【００３０】
制御部２２０は、特徴抽出部２２１、情報抽出部２２２、および保護設定部２２３を有している。一例として、制御部２２０はプロセッサがソフトウェアプログラムを実行することで実現される制御装置であり、その制御装置の機能として、特徴抽出部２２１、情報抽出部２２２、および保護設定部２２３の機能が含まれる。
【００３１】
入力部２３０は、ユーザが情報処理装置に各種指示を行うために操作する入力部であり、例えば数字キーやスクロールキーなどである。
【００３２】
表示部２４０は、画像やテキスト等を表示する表示部であり、例えば、メーラがメールの差出人や本文を表示する。
【００３３】
図３は、メール情報テーブル２１１の一例を示す図である。図３を参照すると、メール情報テーブル２１１には各メールが記録されている。メール情報テーブル２１１に記録されている内容は、そのメールに保護設定がオンかオフか、差出人、および本文が含まれている。保護設定のオンは保護が設定されていることを意味し、オフは保護が設定されていないことを意味する。
【００３４】
制御部２２０の特徴抽出部２２１は、主記憶部２１０のメール情報テーブル２１１を参照し、保護設定がオンのメールの特徴を抽出し、主記憶部２１０の特徴テーブル２１２に記録する。
【００３５】
例えば、ある特定人物からの受信メールの多くの保護設定がオンなのにも関わらず、保護設定がオフのメールが存在する場合、ユーザが保護設定をオンにし忘れている可能性が高い。そのため、保護設定がオンのメールに共通する差出人を特徴として抽出するとよい。その場合、特徴抽出部２２０は、差出人毎のメールの数をカウントして主記憶部２１０の差出人毎メール数記憶部２１３に記録し、メール数が閾値以上の差出人を特徴として抽出する。図４は、差出人毎メール数記憶部２１３に記憶された情報の一例を示す図である。この例では、Ａさんからのメールが３通、Ｃさんからのメールが１通と記録されている。
【００３６】
また、あるキーワードが本文に含まれている多くのメールの保護設定がオンであるにも関わらず、そのキーワードを含み、かつ保護設定がオフのメールが存在する場合、ユーザが保護設定をオンにし忘れている可能性が高い。そのため、保護設定がオンのメールに共通するキーワードを抽出し、そのキーワードを含んでいるということを特徴とするとよい。
【００３７】
図５は、特徴テーブル２１２の一例を示す図である。図５を参照すると、差出人が「Ａさん」であるという特徴（特徴ＩＤ＝１）と、キーワード「重要連絡」を含むという特徴（特徴ＩＤ＝２）が記録されている。
【００３８】
制御部２２０の情報抽出部２２２は、主記憶部２１０のメール情報テーブル２１１において保護設定がオフのメールの中から、主記憶部２１０の特徴テーブル２１２に記録されている特徴を備えたメールを抽出する。図３の例では、メールＩＤ＝４のメールは、差出人が「Ａさん」であるにも関わらず、保護設定がオフなので、ここで抽出される。
【００３９】
制御部２２０の保護設定部２２３は、情報抽出部２２２で抽出されたメールの保護設定をオフからオンに変更する。図３の例では、メールＩＤ＝４のメールの保護設定がオフからオンに変更される。
【００４０】
図６は、本実施例の携帯電話端末の動作例を示すフローチャートである。ここでは説明を容易にするために、差出人が共通するという特徴に着目して説明する。
【００４１】
新着メールが受信されると（ステップＳ１０１のＹｅｓ）、特徴抽出部２２１が動作する。特徴抽出部２２１は、まず、全ての受信メールから保護設定がオンのメールを調査対象として、差出人毎にメールの数を算出する（ステップＳ１０２、Ｓ１０３）。
【００４２】
たとえば、図３に示したメール情報テーブル２１１では、Ａさんからのメールが３通、Ｃさんからのメールが１通、その他のメールが０通となる。特徴抽出部２２１は、このメール数を差出人毎メール数記憶部２１３に記録する。図４の例では、Ａさんからのメールが３通、Ｃさんからのメールが１通と記録されている。
【００４３】
続いて、特徴抽出部２２１は、保護設定がオンのメールを対象として（ステップＳ１０４）、メールの数が閾値以上の差出人を抽出し（ステップＳ１０５のＹｅｓ）、その差出人を特徴テーブル２１２に記録する（ステップＳ１０６）。例えば、閾値が「３」であれば、Ａさんが抽出される。差出人の数が閾値より小さい場合は（ステップＳ１０５のＮｏ）、何もしない。特徴抽出部２２１はステップＳ１０５〜１０６の処理を全ての差出人について行う。
【００４４】
続いて情報抽出部２２２が動作する。
【００４５】
情報抽出部２２２は、まず、保護設定がオフのメールを調査対象として、特徴テーブル２１２に記録されている情報と合致するメールが存在するか否か検索する（ステップＳ１０７、Ｓ１０８）。
【００４６】
そして、情報抽出部２２２が行った検索で特徴テーブルの情報と合致するメールが見つかると、保護設定部２２３は、そのメールの保護設定をＯＮにする（ステップＳ１０９）。たとえば、図３のメール情報テーブル２１１では、メールＩＤ＝４のメールの保護設定がオフからオンに変更される。
【００４７】
情報抽出部２２２は、ステップＳ１０８〜１０９の処理を保護設定がオフの全てのメールに対して行う。
【００４８】
なお、本実施例では、情報処理装置の例として携帯電話端末を例示したが、本発明はこれに限定されるものではない。本発明は、他の例としてパーソナルコンピュータやゲーム機など、情報を保存する機能を備えた情報処理装置に広く適用することができる。
【００４９】
また、本実施例では、差出人が共通すること、共通するキーワードが本文に含まれていることを、保護すべき情報（メール）の特徴としたが、本発明がこれらに限定されるものではない。他の例として、タイトルに共通するキーワードが含まれていること、添付ファイルのファイル名に共通の語が含まれていること等を、保護すべき情報の特徴としてもよい。
【００５０】
また、メールのエリア（タイトル、本文、差出人、送付先）毎に、キーワードを抽出し、そのキーワードがそのキーワードが抽出されたエリアに含まれていることを特徴としてもよく、そのキーワードがいずれかのエリアに含まれていることを特徴としてもよい。
【００５１】
また、抽出したキーワードをカテゴリ（あるいはジャンル）等の集合に分類し、同じ集合に分類されるキーワードが含まれていることを特徴としてもよい。また、カテゴリ等の集合に分類する際に、クラスタ分析（クラスタリング）、分散構造分析、他次元尺度構成法、数量化理論、階層化意思決定法などを利用してもよい。
【００５２】
また、本実施例では、保存されているメールの中から保護すべきメールを抽出する例を示したが、本発明がメールに限定されるものではない。他の例として、写真などの画像データ、音楽データ、メールの添付ファイルなどの特定データにも本発明は適用できる。
【００５３】
写真の画像データの場合には、画像解析を行って、共通する被写体が写っていることを特徴として抽出してもよい。また、共通する撮影日を特徴として抽出してもよい。また、ＧＰＳ等で取得され、画像データに付加された撮影位置を特徴として抽出してもよい。また、共通する撮影者を特徴として抽出してもよい。
【００５４】
また、音楽データの場合には、演奏者、音楽ジャンルなどの属性情報を特徴として抽出することにしてもよい。
【００５５】
また、特定データの場合、保護が設定されたデータと情報の大きさが近似することを特徴として抽出してもよい。また、保護が設定されたデータとの共通性ではないが、情報量が所定値以上に大きいことを特徴として抽出してもよい。情報量が大きいデータは削除されると再び収集するのが困難だからである。また、確認頻度が一定以上に多いことを特徴として抽出してもよい。また、メールであれば、返信数が所定値以上に多いことを特徴として抽出してもよい。
【００５６】
また、本実施例では保護の例として、自動的に削除しないということを例示したが、本発明がこれに限定されるものではない。他の例として、複数の保護レベルを設け、一致した特徴毎に保護レベルを設定することにしてもよい。保護の方法としては、メモリがいっぱいになっても情報を削除しないことの他、削除に際してユーザに確認を求めること、定期的なバックアップの対象とすることなどが考えられる。
【００５７】
以上、本発明の実施形態および実施例について述べてきたが、本発明は、これらの実施形態や実施例だけに限定されるものではなく、本発明の技術思想の範囲内において、これらの実施形態や実施例を組み合わせて使用したり、一部の構成を変更したりしてもよい。
【符号の説明】
【００５８】
１０  情報処理装置
１１  特徴抽出部
１２  情報抽出部
１３  保護設定部
１４  メモリ
２１０  主記憶部
２１１  メール情報テーブル
２１２  特徴テーブル
２１３  差出人毎メール数記憶部
２２０  制御部
２２１  特徴抽出部
２２２  情報抽出部
２２３  保護設定部
２３０  入力部
２４０  表示部
【図１Ａ】
2012168875.tif 000003
【図１Ｂ】
2012168875.tif 000004
【図２】
2012168875.tif 000005
【図３】
2012168875.tif 000006
【図４】
2012168875.tif 000007
【図５】
2012168875.tif 000008
【図６】
2012168875.tif 000009